(57)【要約】【課題】折畳作業半径を最小化し、積層及び積載の際に上下干渉を排除して、作業性、空間活用性を向上させることが可能な、折畳式ワイヤメッシュ型コンテナを提供する。【解決手段】本発明の折畳式ワイヤメッシュ型コンテナは、底面ワイヤメッシュと、底面ワイヤメッシュの対向する一対の辺に回動可能に結合された背面ワイヤメッシュおよび前面ワイヤメッシュと、一辺が底面ワイヤメッシュの対向する他の一対の辺に対応して設けられ、背面ワイヤメッシュに他の一辺を共有して回動可能に結合される２つの側面ワイヤメッシュと、からなり、底面ワイヤメッシュの一辺に対応する背面ワイヤメッシュの一辺には、その長さが少なくとも両側の側面ワイヤメッシュを折り畳んだときの厚さ間隔より長く、端部が底面ワイヤメッシュに回動可能に結合され、底面ワイヤメッシュに対して垂直に展開した状態で底面ワイヤメッシュに対して水平方向に延長部が形成される。【選択図】図１
2014051393.tif 000002
【特許請求の範囲】
【請求項１】
底面フレームに固定された底面ワイヤメッシュと、
前記底面ワイヤメッシュの対向する一対の辺に回動可能に結合された背面ワイヤメッシュおよび前面ワイヤメッシュと、
一辺が前記底面ワイヤメッシュの対向する他の一対の辺に対応して設けられ、前記背面ワイヤメッシュに他の一辺を共有して回動可能に結合されるとともに、前記前面ワイヤメッシュにさらに他の一辺を共有して着脱可能に結合される２つの側面ワイヤメッシュと、
からなり、
前記底面ワイヤメッシュの一辺に対応する前記背面ワイヤメッシュの一辺には、その長さが少なくとも両側の側面ワイヤメッシュを折り畳んだときの厚さ間隔より長く、端部が前記底面ワイヤメッシュに回動可能に結合され、前記底面ワイヤメッシュに対して垂直に展開した状態で前記底面ワイヤメッシュに対して水平方向に延びる、水平延長部が形成されることを特徴とする、折畳式ワイヤメッシュ型コンテナ。
【請求項２】
前記前面ワイヤメッシュの下部には、その長さが前記背面ワイヤメッシュ及び前記側面ワイヤメッシュを折り畳んだときの厚さ間隔より長く、前記底面ワイヤメッシュに対して垂直に展開した状態で前記底面ワイヤメッシュに対して垂直方向に延びる、垂直延長部が形成され、
前記垂直延長部の端部は、前記前面ワイヤメッシュに回動可能に結合されることを特徴とする、請求項１に記載の折畳式ワイヤメッシュ型コンテナ。
【請求項３】
前記底面ワイヤメッシュは、前記側面ワイヤメッシュの一辺と対応する各辺の上部に長手方向に沿って、前記側面ワイヤメッシュが前記底面ワイヤメッシュの外側に旋回することを防止するサイドストッパが設けられていることを特徴とする、請求項１または２のいずれかに記載の折畳式ワイヤメッシュ型コンテナ。
【請求項４】
前記背面ワイヤメッシュ、前記２つの側面ワイヤメッシュ及び前記前面ワイヤメッシュは、前記底面ワイヤメッシュに対してそれぞれ垂直に展開した状態で上部中央に位置する領域に、メッシュワイヤの間隔が他の部分より狭いワイヤ稠密部を有することを特徴とする、請求項１〜３のいずれか１項に記載の折畳式ワイヤメッシュ型コンテナ。
【発明の詳細な説明】
【技術分野】
【０００１】
本発明は、ワイヤメッシュを使用した折畳式ワイヤメッシュ型コンテナに関し、折畳作業のための作業半径を最小化し、上下積層及び積載の際に上下干渉が排除され、折畳、積層及び積載の作業性と空間活用性に優れた、折畳式ワイヤメッシュ型コンテナに関する。
【背景技術】
【０００２】
一般に、各種貨物を積載するワイヤメッシュ型コンテナは、ワイヤを網状に熔接したワイヤメッシュで底面、前面、背面及び両側面を結合して内部に収容空間部を形成するものである。このようなワイヤメッシュ型コンテナは、貨物を積載しないときには体積を最少化するために、折畳と上下積層及び積載を行って保管することができるものである。
【０００３】
特許文献１では、底面フレームに固定された底面ワイヤメッシュの後方に背面ワイヤメッシュをワイヤバインダーで結合し、背面ワイヤメッシュの両側に側面ワイヤメッシュをワイヤバインダーで結合し、底面ワイヤメッシュの前方に前面ワイヤメッシュをワイヤバインダーで結合する構造を有し、背面ワイヤメッシュの両側の側面ワイヤメッシュを外側方向に旋回して折り畳んだ後、底面ワイヤメッシュの上部に背面ワイヤメッシュ、両側面ワイヤメッシュ、前面ワイヤメッシュを上下に積層可能に折り畳むことが可能なワイヤメッシュ型コンテナが開示されている。かかるコンテナは、底面ワイヤメッシュの両側下部の前後に備えられた支持部材の装着溝を、下部位置に折り畳まれたワイヤメッシュコンテナの底面ワイヤメッシュの両側上部の前後に備えられた支持部材の積載部に嵌合させることで上下に積層及び積載が可能である。
【０００４】
しかし、上述した従来のワイヤメッシュ型コンテナは次の問題点があった。
まず、背面ワイヤメッシュと底面ワイヤメッシュは、それぞれ角部位置で結合されており、折り畳み時には、上下に旋回されるため、両側面ワイヤメッシュを図１１に示すように、背面ワイヤメッシュの外側方向に旋回されて折り畳まれるしかなかった。このため、作業半径が大きくなり、空間効率性が落ちる問題点、さらに、狭い空間では折畳作業が非常に不便になるという問題点があった。
【０００５】
また、背面ワイヤメッシュ、側面ワイヤメッシュ及び前面ワイヤメッシュを底面ワイヤメッシュの上部に上下に折り畳む際に、それぞれのワイヤメッシュがワイヤバインダーと干渉するため、折畳作業が不便になる問題点、さらに、それぞれのワイヤメッシュを水平に折り畳むことができずに傾くことから、コンテナの上下積層及び積載の際に、上下干渉が派生し作業が容易でない問題点があった。
【０００６】
また、背面ワイヤメッシュ、側面ワイヤメッシュ及び前面ワイヤメッシュは、ワイヤが上下左右に同一間隔で配列して結合される構成のため、物品積載の際やコンテナ積層及び積載の際に、それぞれのワイヤメッシュにおいて堅固性の低い上部中央部が外側に広がる変形を引き起こし、使用耐久性が低下する問題点があった。
【先行技術文献】
【特許文献】
【０００７】
【特許文献１】大韓民国特許公開第２００９−１１４７５５号明細書
【発明の概要】
【発明が解決しようとする課題】
【０００８】
本発明は前述のような従来技術が有する諸般問題点に鑑みてなされたものであり、本発明の目的とするところは、折畳作業のための作業半径を最小化し、上下積層及び積載の際に上下干渉を排除して、折畳、積層及び積載の作業性、空間活用性を向上させることが可能な、新規かつ改良された折畳式ワイヤメッシュ型コンテナを提供することにある。
【０００９】
また、本発明は、物品積載の際や積層及び積載の際に、上部中央が外側に広がる変形を防止することが可能な、新規かつ改良された折畳式ワイヤメッシュ型コンテナを提供することに、さらに他の目的がある。
【課題を解決するための手段】
【００１０】
上記課題を解決するために、本発明のある観点によれば、底面フレームに固定された底面ワイヤメッシュと、前記底面ワイヤメッシュの対向する一対の辺に回動可能に結合された背面ワイヤメッシュおよび前面ワイヤメッシュと、一辺が前記底面ワイヤメッシュの対向する他の一対の辺に対応して設けられ、前記背面ワイヤメッシュに他の一辺を共有して回動可能に結合されるとともに、前記前面ワイヤメッシュにさらに他の一辺を共有して着脱可能に結合される２つの前記側面ワイヤメッシュと、からなり、前記底面ワイヤメッシュの一辺に対応する前記背面ワイヤメッシュの一辺には、その長さが少なくとも両側の側面ワイヤメッシュを折り畳んだときの厚さ間隔より長く、端部が前記底面ワイヤメッシュに回動可能に結合され、前記底面ワイヤメッシュに対して垂直に展開した状態で前記底面ワイヤメッシュに対して水平方向に延びる、水平延長部が形成されることを特徴とする、折畳式ワイヤメッシュ型コンテナが提供される。
【００１１】
前記前面ワイヤメッシュの下部には、その長さが前記背面ワイヤメッシュ及び前記側面ワイヤメッシュを折り畳んだときの厚さ間隔より長く、前記底面ワイヤメッシュに対して垂直に展開した状態で前記底面ワイヤメッシュに対して垂直方向に延びる、垂直延長部が形成され、前記垂直延長部の端部は、前記前面ワイヤメッシュに回動可能に結合されるものであってもよい。
【００１２】
前記底面ワイヤメッシュは、前記側面ワイヤメッシュの一辺と対応する各辺の上部に長手方向に沿って、前記側面ワイヤメッシュが前記底面ワイヤメッシュの外側に旋回することを防止するサイドストッパが設けられているものであってもよい。
【００１３】
前記背面ワイヤメッシュ、前記２つの側面ワイヤメッシュ及び前記前面ワイヤメッシュは、前記底面ワイヤメッシュに対してそれぞれ垂直に展開した状態で上部中央に位置する領域に、メッシュワイヤの間隔が他の部分より狭いワイヤ稠密部を有するものであってもよい。
【発明の効果】
【００１４】
以上説明したように本願発明によれば、折畳作業のための作業半径が最小化され、折畳及び展開時の側面ワイヤメッシュの離脱が防止され、上下積層及び積載の際に上下干渉が排除されることから、折畳、積層及び積載の作業性、空間活用性を向上させることができる。
【００１５】
また、物品積載の際や積層及び積載の際に、前記背面ワイヤメッシュ、側面ワイヤメッシュ及び前面ワイヤメッシュの変形が防止されることから、使用効率性及び耐久性を高めることができる。
【図面の簡単な説明】
【００１６】
【図１】本発明の一実施形態にかかる折畳式ワイヤメッシュ型コンテナの全体斜視図である。
【図２】同実施形態にかかる正面図である。
【図３】図２の“Ａ”部を示す部分拡大図である。
【図４】同実施形態にかかる平面図である。
【図５】図４の“Ｂ”部を示す部分拡大図である。
【図６】図５の要部斜視図である。
【図７】同実施形態の展開状態での積層及び積載を示す正面図である。
【図８】同実施形態の折畳状態での積層及び積載を示す正面図である。
【図９】同実施形態の折畳順序を示す説明図である。
【図１０】本発明の他の実施形態を示す正面図である。
【図１１】従来の折畳式ワイヤメッシュ型コンテナの折畳作動を示す画像である。
【発明を実施するための形態】
【００１７】
以下に，添付した図面を参照しながら，本発明の好適な実施の形態について詳細に説明する。なお，本明細書及び図面において，実質的に同一の機能構成を有する構成要素については，同一の符号を付することにより重複説明を省略する。
【００１８】
本発明の一実施形態にかかる折畳式ワイヤメッシュ型コンテナにおいて、図１〜図９に示すように、矩形の底面フレーム１０に固定された矩形の底面ワイヤメッシュ２０は、後方で矩形の背面ワイヤメッシュ３０とワイヤバインダーと、背面ワイヤメッシュ３０は、両側で矩形の側面ワイヤメッシュ４０、４０’とワイヤバインダー３、３’と、底面ワイヤメッシュ２０は、前方で矩形の前面ワイヤメッシュ５０とワイヤバインダーと、でそれぞれ結合されている。前面ワイヤメッシュ５０は、上部及び下部ワイヤメッシュ５１、５２から成り、上部ワイヤメッシュ５１及び下部ワイヤメッシュ５２はワイヤバインダー５で結合されている。上部及び下部ワイヤメッシュ５１、５２は、側面ワイヤメッシュ４０、４０’と固定部材５５によって脱着可能に固定されている。
【００１９】
背面ワイヤメッシュ３０は、下端に少なくとも両側の側面ワイヤメッシュ４０、４０’を折り畳んだ厚さ間隔より大きな間隔で水平に延びる水平延長部３１を形成し、水平延長部３１の端部と、底面ワイヤメッシュ２０とをワイヤバインダー６で結合することにより、底面ワイヤメッシュ２０の上部に水平延長部の間隔だけ離隔するように底面ワイヤメッシュ２０と水平に折り畳まれる。このとき、側面ワイヤメッシュ４０、４０’は、背面ワイヤメッシュ３０の内側に折り畳まれ、背面ワイヤメッシュと底面ワイヤメッシュとの間に上下に積層される。
【００２０】
ワイヤバインダー６はヒンジのような機能を持つため、底面ワイヤメッシュ２０の下部に底面フレーム１０の内側に位置するように設置し、底面ワイヤメッシュ２０と背面ワイヤメッシュの水平延長部３１のメッシュワイヤが互いにずれて位置するように結合することで、背面ワイヤメッシュ３０は、上下に折り畳みが可能となる。
【００２１】
前面ワイヤメッシュ５０は、下部に背面ワイヤメッシュ３０及び側面ワイヤメッシュ４０、４０’を折り畳んだ厚さ間隔より大きな間隔で垂直に延びる垂直延長部５３を形成し、垂直延長部５３の末端と前面ワイヤメッシュ５０とをワイヤバインダー７で結合することにより、底面ワイヤメッシュ２０の上部に垂直延長部５３の間隔だけ離隔するように底面ワイヤメッシュ２０と水平に折り畳まれる。
【００２２】
この際、前面ワイヤメッシュ５０は、図面に示されてはいないが、前述した背面ワイヤメッシュと同様に、下端に少なくとも背面ワイヤメッシュ３０及び側面ワイヤメッシュ４０、４０’を折り畳んだ厚さ間隔より大きな間隔で水平に延びる水平延長部を形成し、水平延長部の末端を底面ワイヤメッシュ２０にワイヤバインダーで結合することにより、底面ワイヤメッシュ２０の上部に水平延長部の間隔だけ隔離するように底面ワイヤメッシュ２０と水平折り畳みが可能に構成することができるのはいうまでもない。
【００２３】
底面ワイヤメッシュ２０は、展開時に側面ワイヤメッシュ４０、４０’と位置合わさる両側に、側面ワイヤメッシュ４０、４０’が底面ワイヤメッシュ２０よりも外側に旋回することを防止するように、上部の長手方向に沿って側面ワイヤメッシュ４０、４０’を支持するサイドストッパ２２を備える。
【００２４】
底面ワイヤメッシュ２０は、上記両側の上部の前後にワイヤを折り曲げて突出した係止突部２３ａと、係止突部２３ａから底面ワイヤメッシュ２０と水平に延設された積載部２３ｂから成る支持部材２３を備える。底面ワイヤメッシュ２０は、下部に支持部材２３に対応する位置に支持部材２５を備える。指示部材２５は、積層及び積載の際に、他のコンテナと嵌合するために、支持部材２３の積載部２３ｂに装着される装着溝２６を備える。
【００２５】
また、本発明の他の実施形態にかかる折畳式ワイヤメッシュ型コンテナにおいて、図１０に示すように、背面ワイヤメッシュ３０、側面ワイヤメッシュ４０、４０’及び前面ワイヤメッシュ５０は、下部に比べて上部が、かつ両側に比べて中央部が堅固になるように、メッシュワイヤ２の間隔が下部に比べて上部が、両側に比べて中央部が狭く配列されたワイヤ稠密部７０を形成することにより、物品積載の際や積層及び積載の際に、上部中央が外側に広がることを防止するように構成される。
【００２６】
例えば、背面ワイヤメッシュ３０、側面ワイヤメッシュ４０、４０’及び前面ワイヤメッシュ５０は、上下を１／２に区画した上部かつ、左右を１／３に区画した中央部のメッシュワイヤ２を、他の箇所に対してメッシュの間隔を１／１．５〜１／１．３倍の割合で狭く配列して構成することができる。
【００２７】
未説明符号９は各種情報を表示することができるネームプレートを示すものである。
【００２８】
以下、本発明の一実施形態にかかる作動及び作用について説明する。
本発明の一実施形態にかかるワイヤメッシュ型コンテナを折り畳む過程を、図９に基づいて説明する。
【００２９】
コンテナは、展開状態で、背面ワイヤメッシュ３０、側面ワイヤメッシュ４０、４０’及び前面ワイヤメッシュ５０が、底面ワイヤメッシュ２０に対してそれぞれ垂直となっている。前面ワイヤメッシュ５０と側面ワイヤメッシュ４０、４０’とは、フック状の固定部材５５で固定されている。
【００３０】
まず、側面ワイヤメッシュ４０、４０’と前面ワイヤメッシュ５０との固定を解除して、側面ワイヤメッシュ４０、４０’を、背面ワイヤメッシュ３０と結合されたワイヤバインダー３、３’を中心に、従来のように外側方向ではなく、内側方向に旋回して折り畳む。このような折り畳み方によって、側面ワイヤメッシュ４０、４０’を折り畳む際の作業半径が最小化される。
【００３１】
次いで、側面ワイヤメッシュ４０、４０’と背面ワイヤメッシュ３０を底面ワイヤメッシュ２０の上部に折り畳む。この際、背面ワイヤメッシュ３０は、下端に、両側の側面ワイヤメッシュ４０、４０’を折り畳んだ厚さ間隔より大きな間隔で水平に延びる水平延長部３１の末端が、底面ワイヤメッシュ２０にワイヤバインダー６で結合されるため、背面ワイヤメッシュ３０がワイヤバインダー６を中心に旋回して、底面ワイヤメッシュ２０の上部に、水平延長部３１の間隔だけ離隔した位置に水平に折り畳まれる。これにより、側面ワイヤメッシュ４０、４０’と背面ワイヤメッシュ３０は、底面ワイヤメッシュ２０の上部に水平に折り畳まれる。
【００３２】
その後、背面ワイヤメッシュ３０の上部に前面ワイヤメッシュ５０を折り畳む。この際、前面ワイヤメッシュ５０は、背面ワイヤメッシュ３０及び側面ワイヤメッシュ４０、４０’を折り畳んだ厚さ間隔より大きな間隔で垂直に延びる垂直延長部５３が下部に設けられ、垂直延長部５３の末端と前面ワイヤメッシュ５０とがワイヤバインダー７にて結合されているため、前面ワイヤメッシュ５０がワイヤバインダー７を中心に旋回することにより、背面ワイヤメッシュ３０の上部に垂直延長部５３の間隔だけ離隔した位置に水平に折り畳まれる。
【００３３】
上述のように、底面ワイヤメッシュ２０の上部に側面ワイヤメッシュ４０、４０’、背面ワイヤメッシュ３０及び前面ワイヤメッシュ５０が水平状態で、上下に積層するように折り畳むことが可能となる。
【００３４】
折り畳まれたワイヤメッシュ型コンテナを積層及び積載させた状態を図８に示す。
本発明の一実施形態にかかるワイヤメッシュ型コンテナは、底面ワイヤメッシュ２０の両側下部の前後位置に設置された支持部材２５の装着溝２６と、底面ワイヤメッシュ２０の両側上部の前後位置に設けられた支持部材２３の積載部２３ｂとが嵌合することでコンテナを上下に積層及び積載することができる。
【００３５】
この際、折り畳まれたワイヤメッシュ型コンテナは、背面ワイヤメッシュ３０と底面ワイヤメッシュ２０を結合するワイヤバインダー６が底面ワイヤメッシュ２０の底面に位置し、背面ワイヤメッシュ３０、側面ワイヤメッシュ４０、４０’及び前面ワイヤメッシュ５０が底面ワイヤメッシュ２０の上部に水平に折り畳まれることにより、上下に積層及び積載されるコンテナとの相互干渉が排除され、積層及び積載の作業の効率化を実現できる。
【００３６】
また、折り畳まれたワイヤメッシュ型コンテナを展開しようとする場合には、前述した折畳順とは逆順で、前面ワイヤメッシュ５０、背面ワイヤメッシュ３０及び側面ワイヤメッシュ４０、４０’を展開し、前面ワイヤメッシュ５０と側面ワイヤメッシュ４０、４０’を固定部材５５で固定する。
【００３７】
この際、側面ワイヤメッシュ４０、４０’を展開するとき、底面ワイヤメッシュ２０の両側上部には、長手方向に沿ってサイドストッパ２２が設けられているため、側面ワイヤメッシュ４０、４０’が外側方向に離脱することが防止され、定位置での展開作動が可能となる。
【００３８】
展開されたワイヤメッシュ型コンテナは、背面ワイヤメッシュ３０と底面ワイヤメッシュ２０を連結するワイヤバインダー６が、底面ワイヤメッシュ２０の下部に底面フレーム１０の内側に位置し、コンテナの内部側に突出していないため、折畳や展開の際にワイヤバインダー６と他の部分とで干渉が生じず、内容物積載の際にも内容物との干渉を排除することができる。
【００３９】
また、本発明の他の実施形態では、図１０に示すように、背面ワイヤメッシュ３０と側面ワイヤメッシュ４０、４０’及び前面ワイヤメッシュ５０の下部に比べて上部が、両側に比べて中央部が堅固になるように、メッシュワイヤ２の間隔が下部に比べて上部、両側に比べて中央部で狭く配列されたワイヤ稠密部７０を形成することにより、物品積載の際やコンテナ積層及び積載の際に、相対的に支持堅固性が低い背面ワイヤメッシュ３０、側面ワイヤメッシュ４０、４０’及び前面ワイヤメッシュ５０の上部中央が外側に広がる変形を防止するようになるものである。
【００４０】
その他に、発明の一実施形態では、図８及び図９に示すように、前面及び背面ワイヤメッシュ５０、３０の下部にネームプレート９を備えており、折り畳みの際または積層及び積載の際に、従来と異なり、ネームプレートが折り畳まれた部分から除かれるので、コンテナの折畳またはコンテナの積層及び積載の状態でもネームプレート９の記載事項を作業者が易しく識別することができるものである。
【００４１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４２】
本発明は、底面、背面及び両側面、前面をワイヤメッシュで構成し、上下に折畳可能にした折畳式ワイヤメッシュ型コンテナに適用可能である。
【符号の説明】
【００４３】
１０    底面フレーム
２０    底面ワイヤメッシュ
３０    背面ワイヤメッシュ
３、３’、５、６、７    ワイヤバインダー
４０、４０’    側面ワイヤメッシュ
５０    前面ワイヤメッシュ
５１、５２    上部及び下部ワイヤメッシュ
５５    固定部材
５３    垂直延長部
３１    水平延長部
２２    サイドストッパ
【図１】
2014051393.tif 000003
【図２】
2014051393.tif 000004
【図３】
2014051393.tif 000005
【図４】
2014051393.tif 000006
【図５】
2014051393.tif 000007
【図６】
2014051393.tif 000008
【図７】
2014051393.tif 000009
【図８】
2014051393.tif 000010
【図９】
2014051393.tif 000011
【図１０】
2014051393.tif 000012
【図１１】
2014051393.tif 000013